(57)【要約】【課題】  防水性能を低下させずに、冷却用外気の導入量の増大による冷却効果の向上を実現できる表示装置を得る。【解決手段】  ユニット空間３３の外周を覆うユニット外周壁３５に内部吸気口３７が形成された表示ユニット３９と、前記ユニット外周壁３５との間に空隙４１を画成するようにユニット外周壁３５の外側に取り付けられると共に、内部吸気口３７に対向する壁面４３に外部吸気口４５が形成された支持枠４７とを備える表示装置３１において、前記外部吸気口４５及び前記内部吸気口３７に対峙するように空隙４１中に邪魔板７１を配置して、前記外部吸気口４５から前記内部吸気口３７に至る空隙４１に、前記邪魔板７１によって前記空隙４１の側縁寄りに迂回する経路を形成する。【選択図】        図１
2005309277.tif 000002
【特許請求の範囲】
【請求項１】
表示素子等を収容したユニット空間の外周を覆うユニット外周壁に前記ユニット空間の内外を連通させた内部吸気口が形成された表示ユニットと、前記ユニット外周壁との間に空隙を画成するように前記ユニット外周壁の外側に取り付けられると共に、前記内部吸気口に対向する壁面に前記空隙を外部に連通させる外部吸気口が形成された支持枠と、を備えて、
前記ユニット空間内の搭載部品の冷却のために、前記外部吸気口及び内部吸気口を介してユニット空間内に外気を導入する屋外設置型の表示装置であって、
前記外部吸気口及び前記内部吸気口に対峙するように前記空隙中に邪魔板を配置し、前記外部吸気口から前記空隙に導入された外気は、前記邪魔板によって前記空隙の側縁寄りに迂回する経路で前記内部吸気口に導くことを特徴とする表示装置。
【請求項２】
前記外部吸気口から前記空隙に導入された外気を前記空隙の側縁寄りに迂回させるために前記邪魔板が前記空隙の側縁側に確保する開口面積を前記外部吸気口及び前記内部吸気口の開口面積と同等に設定したことを特徴とする請求項１に記載の表示装置。
【請求項３】
前記邪魔板が、前記外部吸気口から前記空隙に導入された外気を前記空隙の側縁寄りに迂回させる第１の防滴板と、この第１の防滴板の内側に配置されて、前記第１の防滴板によって誘導された外気を更に迂回させて前記内部吸気口に導く第２の防滴板とで構成されていることを特徴とする請求項１又は２に記載の表示装置。
【発明の詳細な説明】
【技術分野】
【０００１】
本発明は、空気冷却をする屋外設置型の表示装置に関するもので、特に、防滴性能を低下させずに、冷却用外気の導入量の増大による冷却効果の向上を可能にするための改良に関するものである。
【背景技術】
【０００２】
これまで、商店の宣伝や看板として屋外に設置される表示装置として、各種のランプ類やＬＥＤ等の発光素子や、液晶の表示素子等をユニット空間に収容した表示ユニットを使用するものが各種提案されている。
この種の表示装置は、屋外設置型であることから、防水性能を有することが重要である。
【０００３】
そこで、表示ユニットは、ユニット空間に収容した発光素子や表示素子の点灯によって情報の描画を行う前面又は背面が、発光素子等の表面を保護すると同時に、防水性の透明カバーで覆う構造とされる。そして、発光素子等を収容したユニット空間の外周を覆うユニット外周壁も、基本的に、防水性能を損なうことのないように、各透明カバーとの間の結合構造に工夫がなされる。
【０００４】
しかし、このような表示ユニットのユニット空間内には、電源や発光素子等の発熱部品が収容されており、これらの発熱部品を冷却するために、通常、外気をユニット空間内に循環させる空気冷却方式が採用されている。
【０００５】
図９及び図１０は、従来の屋外設置型の表示装置の空気冷却用の吸気構造を示したものである。
この表示装置１は、発光素子等を収容したユニット空間３の外周を覆うユニット外周壁５にユニット空間３の内外を連通させた内部吸気口７が形成された表示ユニット９と、ユニット外周壁５との間に空隙１１を画成するようにユニット外周壁５の外側に取り付けられると共に、内部吸気口７に対向する壁面１３に空隙１１を外部に連通させる外部吸気口１５が形成された支持枠１７とを備えて構成され、ユニット空間３内の搭載部品の冷却のために、外部吸気口１５及び内部吸気口７を介してユニット空間３内に外気を導入する。
【０００６】
支持枠１７は、図示していないが、表示ユニット９の外周全周を覆う枠状に装備される。この支持枠１７には、屋外に据え付ける際に使用する支柱等が接合される。
【０００７】
導入される外気と一緒に雨水等がユニット空間３内に進入しないように、上記表示装置１の場合は、内部吸気口７の位置よりも下方に位置をずらして外部吸気口１５を装備しており、更に、外部吸気口１５から空隙１１に導入される外気が拡散しないように、外気を内部吸気口７に導くためのダクト２１を空隙１１内に装備している。
【０００８】
ダクト２１は、ユニット外周壁５に密着する底壁２１ａの周囲に、支持枠１７の壁面１３に向かって延出した側壁２１ｂ，２１ｃ，２１ｄ，２１ｅを装備し、更に、底壁２１ａの内部吸気口７に対応する位置に内部吸気口７と同等の大きさの開口２１ｆを装備したもので、支持枠１７の壁面１３との協働で、外部吸気口１５と内部吸気口７との間を連通する略角筒状の外気通路を画成している。
従って、表示装置１では、外部吸気口１５から空隙１１内に導入される外気は、図１０に矢印Ａ，Ｂに示すように、上方に方向転換して、ダクト２１の流路に沿って上方に所定距離進んだ後、矢印Ｃに示すように再び方向転換して内部吸気口７に入る（例えば、特許文献１参照）。
【０００９】
なお、以上の表示装置１には、内部吸気口７、外部吸気口１５、ダクト２１によって構成される吸気構造と同様な排気構造が装備されると共に、表示ユニット９のユニット空間３内には、換気用のブロアファンが装備されている。
このブロアファンは、吸気構造によってユニット空間３内に流入した外気を、このユニット空間３を循環させた後に排気構造に送る強制循環を円滑化する。
【００１０】
【特許文献１】特開２００１−２６５２３８号公報
【発明の開示】
【発明が解決しようとする課題】
【００１１】
ところで、近年、上記の表示装置１には、より高輝度の表示、より多くの情報表示等が要求されて、ユニット空間３内に収容される発光素子や表示素子等の数量が増加し、高密度実装化が進む一方、デザイン的観点から表示装置１の薄型化によるユニット空間３内の狭小も影響して、ユニット空間３内での発熱量が大幅に増えるようになった。
そのため、冷却性能の向上が重要な課題となっている。
【００１２】
冷却性能の向上は、上記のような外気による空気冷却の場合は、単位時間当たりの外気の導入量を増やすことで実現することができる。
しかし、前述した表示装置１の場合は、外気の導入量の増大が簡単に図れないという問題があった。
例えば、外気の導入量増大のために、内部吸気口７や外部吸気口１５の開口面積を大きくしても、外部吸気口１５から流入した外気は支持枠１７の壁面１３に沿うダクト流路を流れる際、ダクト２１によって提供される流路断面積が変わらないため、ダクト２１による流路が絞りとなって、外気の流入を規制してしまう。
【００１３】
その場合に、ユニット空間３の内部に装備するブロアファンを吸引力の大きなものに変更すれば、外気の導入量の増大を実現できるが、そのような対応では、ダクト２１による流路断面積が狭いために、外気の流入速度が増大し、その流速の増大が外部から雨水や塵埃等を吸引して防水性能の低下を招き、ユニット空間３内の電気回路の汚損や、絶縁劣化による事故を招く虞があった。
【００１４】
支持枠１７やダクト２１の部品を作り直して、空隙１１の大きさ自体を広げることで、ダクト２１による流路断面積を増大させることも考えられるが、その場合には、表示装置１や支持枠１７の外形寸法が大幅に増大してしまい、よりコンパクトな表示装置が求められている市場では受け入れられない。
【００１５】
そこで、本発明の目的は上記課題を解消することに係り、防水性能を低下させずに、冷却用外気の導入量の増大による冷却効果の向上を実現し、しかも、外形寸法の増大を招くこともなく、コンパクト化にも適した表示装置を提供することである。
【課題を解決するための手段】
【００１６】
上記目的は下記構成により達成される。
（１）表示素子等を収容したユニット空間の外周を覆うユニット外周壁に前記ユニット空間の内外を連通させた内部吸気口が形成された表示ユニットと、前記ユニット外周壁との間に空隙を画成するように前記ユニット外周壁の外側に取り付けられると共に、前記内部吸気口に対向する壁面に前記空隙を外部に連通させる外部吸気口が形成された支持枠と、を備えて、
前記ユニット空間内の搭載部品の冷却のために、前記外部吸気口及び内部吸気口を介してユニット空間内に外気を導入する屋外設置型の表示装置であって、
前記外部吸気口及び前記内部吸気口に対峙するように前記空隙中に邪魔板を配置し、前記外部吸気口から前記空隙に導入された外気は、前記邪魔板によって前記空隙の側縁寄りに迂回する経路で前記内部吸気口に導くことを特徴とする表示装置。
【００１７】
（２）上記（１）において、前記外部吸気口から前記空隙に導入された外気を前記空隙の側縁寄りに迂回させるために前記邪魔板が前記空隙の側縁側に確保する開口面積を前記外部吸気口及び前記内部吸気口の開口面積と同等に設定したことを特徴とする表示装置。
【００１８】
（３）上記（１）又は（２）において、前記邪魔板が、前記外部吸気口から前記空隙に導入された外気を前記空隙の側縁寄りに迂回させる第１の防滴板と、この第１の防滴板の内側に配置されて、前記第１の防滴板によって誘導された外気を更に迂回させて前記内部吸気口に導く第２の防滴板とで構成されていることを特徴とする表示装置。
【発明の効果】
【００１９】
上記（１）に記載の表示装置では、外部吸気口から内部吸気口への外気の流路は、邪魔板の存在によって迂回する形状となっているため、内部吸気口と外部吸気口とが直線的に連通することがなく、外部吸気口から空隙内に飛び込む雨水等は、邪魔板によって遮断されて、直接的な表示ユニット内への雨水の進入が防止される。
そして、支持枠と表示ユニットとの間の空隙における外気の流路は、支持枠の壁面に沿う方向ではなく、内部吸気口と外部吸気口との対向方向、即ち、支持枠の壁面に直交する方向に外気を流すものである。そのため、内部給気口及び表示ユニットの開口面積を増大させた場合には、それに相応して、支持枠と表示ユニットとの間の空隙の側縁寄りにおいて邪魔板と支持枠の側壁とで画成される開口面積を増加させることで、内部吸気口と外部吸気口との間を連通させる実質的な流路断面積を、任意値に増加させることができる。即ち、内部吸気口と外部吸気口との間の流路が、外気導入部における絞りとなって流入する外気の速度を高速化させることがない。
従って、流路断面の増大によって、導入する外気の流速は変えずに、冷却用外気の導入量の増大による冷却効果の向上を図ることができ、従来構造として説明した流速の増大に起因した雨水や塵埃等の吸引が発生しない。従って、防水性能を低下させず、冷却用外気の導入量の増大による冷却効果の向上を実現できる。
また、支持枠と表示ユニットとの間の空隙自体は変えずに、内部給気口や外部吸気口の開口面積や邪魔板の大きさを変えるだけで、流路断面積の増大が図れるため、流路断面積の増大によって冷却効果の向上を図った場合でも、外形寸法の増大を招くことがなく、コンパクト化が犠牲にされない。
【００２０】
上記（２）に記載の表示装置では、外気を導入する流路断面が、外部吸気口から内部吸気口まで一定にでき、絞り等による流路抵抗が発生しないため、流入する外気の流れが円滑になり、ユニット空間内に装備するブロアファンの小型化等を図ることが可能になる。
【００２１】
上記（３）に記載の表示装置では、邪魔板が第１の防滴板と第２の防滴板との二重構造となって、流入する外気の迂回回数（方向転換回数）が増大することで、外部からの雨滴の進入防止効果がさらに高まり、より高度な防滴性能を得ることができる。
【発明を実施するための最良の形態】
【００２２】
以下、本発明に係る表示装置の好適な実施の形態について、図面を参照して詳細に説明する。
図１は本発明に係る表示装置の一実施の形態の斜視図で、図２は図１に示した表示装置の組立状態の正面図である。
【００２３】
この一実施の形態の表示装置３１は、表示素子として多数個のＬＥＤが配列された表示ユニット３９と、表示ユニット３９の外周面を囲繞する支持枠４７とを備えて構成される。
表示ユニット３９は、ＬＥＤを配置した基板等を収容するユニット空間３３の外周を覆うユニット外周壁３５にユニット空間３３の内外を連通させた内部吸気口３７と内部排気口３８とが形成されている。
支持枠４７は、ユニット外周壁３５の外側に取り付けられて、ユニット外周壁３５との間に空隙４１を画成すると共に、内部吸気口３７に対向する壁面４３に空隙４１を外部に連通させる外部吸気口４５と内部排気口３８に連通する外気排気口４６とが形成されている。
表示装置３１は、ユニット空間３３内の搭載部品の冷却のために、外部吸気口４５及び内部吸気口３７を介してユニット空間３３内に外気を導入し、導入した外気はユニット空間３３内に装備したブロアファン５１によって内部排気口３８及び外気排気口４６を介して外部に排出する。
【００２４】
表示ユニット３９は、ＬＥＤ等の発光素子をマトリックス状に配置した表示用基板６１と、この表示用基板６１の表面を覆う透明な樹脂製の防水・防護カバー６２と、表示用基板６１上の各素子に給電するための電源や各素子の動作を制御する制御回路、更にはブロアファン５１を収容した略箱型のユニット本体６４とから構成されている。
【００２５】
ユニット本体６４は、表示用基板６１や防水・防護カバー６２に対向する後壁６５の周囲に、その外周を囲うようにユニット外周壁３５が立設されて、直方体状のユニット空間３３を画成している。
ユニット空間３３の開放面は、表示用基板６１及び防水・防護カバー６２をユニット本体６４に取り付けることで、密閉される。
【００２６】
ユニット本体６４の後壁６５は、図示例の場合、縦長の長方形である。ユニット外周壁３５は、４つの外周壁３５ａ，３５ｂ，３５ｃ，３５ｄによって、後壁６５の４辺に沿う枠型に形成されている。内部吸気口３７及び内部排気口３８は、その内の一つの外周壁３５ａに装備されている。
内部排気口３８は、昇温した内部空気が溜まり易いユニット本体６４の上部寄りの位置に装備されている。内部吸気口３７は、逆に、ユニット本体６４の下部寄りの位置に装備されている。
【００２７】
支持枠４７は、左右の縦支持枠体４７ａ，４７ｂ、上下の横支持枠体４７ｃ，４７ｄ、これらの支持枠体相互を連結する角部連結用支持枠体４７ｅによって、表示ユニット３９におけるユニット外周壁３５の外周全周を覆う４角の枠状に組み立てられる。図示はしていないが、この支持枠４７には、屋外に据え付ける際に使用する支柱等が接合される。
【００２８】
支持枠４７において、外部吸気口４５及び外気排気口４６は、ユニット外周壁３５の一つの外周壁３５ａに対向する縦支持枠体４７ａに装備されている。
支持枠４７を構成している各支持枠体４７ａ〜４７ｅは、略Ｃ字形断面構造を持つ型材で、略Ｃ字形の窪みが、ユニット外周壁３５との間に空隙４１を画成する。
【００２９】
本実施の形態の場合、吹き付ける雨水等が、外気排気口４６及び内部排気口３８を介して表示ユニット３９のユニット空間３３内に進入しないように、内部排気口３８の位置よりも下方に位置をずらして外部排気口４６を装備しており、更に、内部排気口３８から空隙４１に排出された空気を外部排気口４６に導くためのダクト２１をユニット外周壁３５に取り付けている。
この排気口回りの防水構造は、先に図９及び図１０で示した従来例の場合と同様である。ユニット外周壁３５に取り付けたダクト２１の構造は、図９に示したものと同一であるので、ダクト２１の構造に関する説明は省略する。
【００３０】
本実施の形態は、支持枠４７に形成した外部吸気口４５や、ユニット外周壁３５に形成された内部吸気口３７によって形成される吸気部の構成に特徴を有している。
以下、この吸気部の構造について、詳述する。
【００３１】
本実施の形態では、図６にも示すように、外部吸気口４５及び内部吸気口３７に対峙するように、空隙４１中に邪魔板７１を配置しており、図７に示す吸気部の組立状態から明らかなとおり、外部吸気口４５から空隙４１に導入された外気は、邪魔板７１によって、図８に矢印Ｉで示すように、空隙４１の側縁寄りに迂回する経路で内部吸気口３７に導く。
【００３２】
本実施の形態の場合、外部吸気口４５は、縦長のスリット状の開口を複数列に、且つ、上下方向に多段に形成したものである。一方、内部吸気口３７は、単純な長方形の角穴を、上下に多段に形成したものである。
外部吸気口４５の開口面積の総和と、内部吸気口３７の開口面積の総和は、略等しく設定されている。
【００３３】
本実施の形態の場合、邪魔板７１は、外部吸気口４５から空隙４１に導入された外気を空隙４１の側縁寄りに迂回させる第１の防滴板７３と、この第１の防滴板７３の内側に配置されて、第１の防滴板７３によって誘導された外気を更に迂回させて内部吸気口３７に導く第２の防滴板７５とで構成されている。
【００３４】
第１の防滴板７３は、その幅寸法Ｗ１が、縦支持枠体４７ａによって画成される空隙４１の幅寸法Ｗ２よりも幅の小さい縦長長方形の邪魔板部７３ａの周囲に、ユニット外周壁３５に向かって延出する案内壁７３ｂを装備した略箱形で、図８に示すように、長辺の案内壁７３ｂと支持枠４７の側壁との間の隙間４１ａが導入された外気を通過させる開口部となる。
【００３５】
第２の防滴板７５は、ユニット外周壁３５に取り付けられており、第１の防滴板７３の長辺の案内壁７３ｂとの間に所定の隙間の流路を画成する邪魔板部７５ａが装備されている。
邪魔板部７５ａは、第１の防滴板７３の長辺の案内壁７３ｂによってユニット外周壁３５側に誘導された外気の流れを、案内壁７３ｂに沿って第１の防滴板７３の内側に向かうように方向転換させて、外気流入時の迂回回数（方向転換回数）を増やしている。
【００３６】
また、第２の防滴板７５の上部には、第１の防滴板７３の上部の折り曲げ部７３ｃの内側に延出する折り曲げ部７５ｃが装備されていて、第２の防滴板７５の装備位置よりも上方のユニット外周壁３５表面で結露した水滴等が滴下してきても、内部吸気口３７側に侵入することのない防滴構造を構成している。
【００３７】
また、本実施の形態の場合、外部吸気口４５から空隙４１に導入された外気を空隙４１の側縁寄りに迂回させるために邪魔板７１が空隙４１の側縁側に確保する開口面積は、外部吸気口４５及び内部吸気口３７の開口面積と同等に設定されている。
【００３８】
以上に説明した表示装置３１では、支持枠４７の壁面４３に装備された外部吸気口４５から表示ユニット３９のユニット外周壁３５に装備された内部吸気口３７への外気の流路は、邪魔板７１の存在によって迂回する形状となっているため、内部吸気口３７と外部吸気口４５とが直線的に連通することがなく、外部吸気口４５から空隙４１内に飛び込む雨水は、邪魔板７１によって遮断されて、直接的な雨水の進入が防止される。
【００３９】
そして、支持枠４７と表示ユニット３９との間の空隙４１における外部吸気口４５から内部吸気口３７までの外気の流路は、支持枠４７の壁面４３に沿う方向ではなく、内部吸気口３７と外部吸気口４５との対向方向、即ち、支持枠４７の壁面４３に直交する方向に外気を流すものである。そのため、内部給気口及び表示ユニット３９の開口面積を増大させた場合には、それに相応して、支持枠４７と表示ユニット３９との間の空隙４１の側縁寄りに邪魔板７１と支持枠４７の側壁とで画成される開口面積を増加させることで、内部吸気口３７と外部吸気口４５との間を連通させる実質的な流路断面積を、任意値に増加させることができる。即ち、内部吸気口３７と外部吸気口４５との間の流路が、外気導入部における絞りとなって流入する外気の速度を高速化させることがない。
【００４０】
従って、流路断面の増大によって、導入する外気の流速は変えずに、冷却用外気の導入量の増大による冷却効果の向上を図ることができ、流速の増大に起因した雨水や塵埃等の吸引が発生せず、防滴性能を低下させずに、冷却用外気の導入量の増大による冷却効果の向上を実現できる。
【００４１】
また、支持枠４７と表示ユニット３９との間の空隙４１自体は変えずに、内部給気口や外部吸気口４５の開口面積や邪魔板７１の大きさを変えるだけで、流路断面積の増大が図れるため、流路断面積の増大によって冷却効果の向上を図った場合でも、外形寸法の増大を招くことがなく、コンパクト化が犠牲にされない。
【００４２】
また、上記実施の形態の表示装置３１では、外気を導入する流路断面が、外部吸気口４５から内部吸気口３７まで一定にでき、絞り等による流路抵抗が発生しないため、流入する外気の流れが円滑になり、ユニット空間３３内に装備するブロアファン５１の小型化等を図ることが可能になる。
【００４３】
また、上記実施の形態の表示装置３１では、邪魔板７１が第１の防滴板７３と第２の防滴板７５との二重構造となって、流入する外気の迂回回数（方向転換回数）が増大することで、外部からの雨滴の進入防止効果がさらに高まり、より高度な防滴性能を得ることができる。
【産業上の利用可能性】
【００４４】
本発明は、屋外に設置され、プロアファンなどにより強制的に外気を取り入れながら内部の冷却を行う表示装置等の屋外設置型の機器に適用することが可能である。
【図面の簡単な説明】
【００４５】
【図１】本発明に係る表示装置の一実施の形態の分解斜視図である。
【図２】図１に示した表示装置の組立状態の正面図である。
【図３】（ａ）は図２のＤ矢視図、（ｂ）は図２のＥ矢視図である。
【図４】（ａ）は図２のＦ矢視図、（ｂ）は図２のＧ矢視図である。
【図５】図４（ａ）の拡大図である。
【図６】図１に示した表示装置の吸気部の拡大図である。
【図７】図６に示した吸気部の組立状態の斜視図である。
【図８】図７のＨ部の拡大図である。
【図９】従来の表示装置における吸気構造を示す分解斜視図である。
【図１０】図９に示した表示装置における吸気構造の組立状態の斜視図である。
【符号の説明】
【００４６】
２１  ダクト
３１  表示装置
３３  ユニット空間
３５  ユニット外周壁
３７  内部吸気口
３８  内部排気口
３９  表示ユニット
４１  空隙
４１ａ  隙間
４３  壁面
４５  外部吸気口
４６  外気排気口
４７  支持枠
５１  ブロアファン
６１  表示用基板
６２  防水・防護カバー
６４  ユニット本体
６５  後壁
７１  邪魔板
７３  第１の防滴板
７５  第２の防滴板
【図１】
2005309277.tif 000003
【図２】
2005309277.tif 000004
【図３】
2005309277.tif 000005
【図４】
2005309277.tif 000006
【図５】
2005309277.tif 000007
【図６】
2005309277.tif 000008
【図７】
2005309277.tif 000009
【図８】
2005309277.tif 000010
【図９】
2005309277.tif 000011
【図１０】
2005309277.tif 000012